(57)【要約】【課題】保守端末装置と無線装置の共通コードの発行及び管理を要することなく、保守端末装置と無線装置との誤接続を防止できるようにする。【解決手段】本発明に係るエレベーター保守システムは、無線装置４が、監視装置３に接続された制御部４０１と、保守端末装置５，６から送信された保守端末情報を記憶する記憶部４０２と、保守端末装置５，６のうちの１つの通信希望保守端末装置から送信された保守端末情報が、記憶部４０２に記憶された保守端末情報と一致するか否か判定する通信判定部４０３とを有し、制御部４０１は、通信判定部４０３で、通信希望保守端末装置から送信された保守端末情報が記憶部４０２に記憶された保守端末情報と一致しないと判定されたときに、通信希望保守端末装置との通信を不可とする構成となっている。【選択図】図２
2018039588.tif 000002
【特許請求の範囲】
【請求項１】
エレベーターを制御する制御装置と、前記エレベーターを監視する監視装置と、前記監視装置と接続された無線装置と、前記無線装置に無線接続された複数の保守端末装置とを備えるエレベーター保守システムであって、
前記無線装置は、
前記監視装置に接続された制御部と、前記保守端末装置から送信された保守端末情報を記憶する記憶部と、複数の前記保守端末装置のうちの１つの通信希望保守端末装置から送信された保守端末情報が、前記記憶部に記憶された保守端末情報と一致するか否か判定する通信判定部とを有し、
前記無線装置の前記制御部は、
前記通信判定部で、前記通信希望保守端末装置から送信された保守端末情報が前記記憶部に記憶された保守端末情報と一致しないと判定されたときに、前記通信希望保守端末装置との通信を不可とすることを特徴とするエレベーター保守システム。
【請求項２】
エレベーターを制御する制御装置と、前記エレベーターを監視する監視装置と、前記監視装置と接続された無線装置と、前記無線装置に無線接続された複数の保守端末装置とを備えるエレベーター保守システムであって、
前記無線装置は、
前記監視装置に接続された制御部と、前記保守端末装置から送信された保守端末情報を記憶する記憶部と、複数の前記保守端末装置のうちの１つの通信希望保守端末装置から送信された保守端末情報が、前記記憶部に記憶された保守端末情報と一致するか否か判定すると共に、前記通信希望保守端末装置から送信された保守端末情報がエレベーター操作に関係する特定コマンドを含むか否か判定する通信判定部とを有し、
前記無線装置の前記制御部は、
前記通信判定部で、前記通信希望保守端末装置から送信された保守端末情報が前記記憶部に記憶された保守端末情報と一致しないと判定され、かつ、前記特定コマンドを含むと判定されたときに、前記通信希望保守端末装置との通信を不可とすることを特徴とするエレベーター保守システム。
【請求項３】
請求項２に記載のエレベーター保守システムであって、
前記無線装置の前記制御部は、
前記通信判定部で、前記通信希望保守端末装置から送信された保守端末情報が前記記憶部に記憶された保守端末情報と一致しないと判定され、かつ、前記特定コマンドを含むと判定されたときに、通信接続不可の旨の警告文を前記通信希望保守端末装置に送信した後に前記通信希望保守端末装置との通信を不可とすることを特徴とするエレベーター保守システム。
【請求項４】
請求項２または３に記載のエレベーター保守システムであって、
前記無線装置の前記制御部は、
前記通信判定部で、前記通信希望保守端末装置から送信された保守端末情報が前記記憶部に記憶された保守端末情報と一致しないと判定され、かつ、前記特定コマンドを含まないと判定されたときに、前記通信希望保守端末装置との通信を許可することを特徴とするエレベーター保守システム。
【請求項５】
請求項４に記載のエレベーター保守システムであって、
前記無線装置の前記制御部は、
前記通信判定部で、前記通信希望保守端末装置から送信された保守端末情報が前記記憶部に記憶された保守端末情報と一致しないと判定され、かつ、前記特定コマンドを含まないと判定されたときに、新たな接続が構築される旨の注意文を前記通信希望保守端末装置に送信した後に、前記通信希望保守端末装置との通信を許可することを特徴とするエレベーター保守システム。
【発明の詳細な説明】
【技術分野】
【０００１】
本発明は、エレベーターを監視する監視装置に接続された無線装置に無線接続された複数の保守端末装置を備えるエレベーター保守システムに関する。
【背景技術】
【０００２】
エレベーターの保守や定期点検、故障修理等を行う保守員は、一般にＰＣ等から成る保守端末装置を携帯し、その保守端末装置をエレベーターと接続してエレベーターの保守に必要な動作指令を、エレベーターを制御する制御装置に対して有線もしくは無線で送信している。
【０００３】
無線使用時に２名以上の保守員が近くで作業する際に、誤って別の保守員が使用する無線装置に対して、誤接続してしまいエレベーターの誤操作が行われてしまう虞がある。ところで、無線使用時に予期しない無線装置と誤接続してエレベーターの誤操作を生じさせないように保守端末装置と無線装置にそれぞれ共通コードを設定し、他の無線装置とは接続しない構成が特許文献１に開示されている。
【先行技術文献】
【特許文献】
【０００４】
【特許文献１】特開２００８−３０６３５８号公報
【発明の概要】
【発明が解決しようとする課題】
【０００５】
特許文献１に開示された従来技術では、事前に共通コードを保守端末装置と無線装置に登録しておく必要がある。したがって、保守端末装置もしくは無線装置のいずれかが故障で交換した際には、再度共通コードを登録することが必要になる。また、共通コードが重複しないように管理サーバなどで発行した共通コードの管理を行う必要がある。
【０００６】
上記課題を解決するために、本発明の目的は、保守端末装置と無線装置の共通コードの発行及び管理を要することなく、保守端末装置と無線装置との誤接続を防止することができるエレベーター保守システムを提供することにある。
【課題を解決するための手段】
【０００７】
上記課題を解決するために、本発明に係るエレベーター保守システムは、エレベーターを制御する制御装置と、前記エレベーターを監視する監視装置と、前記監視装置と接続された無線装置と、前記無線装置に無線接続された複数の保守端末装置とを備えるエレベーター保守システムであって、前記無線装置は、前記監視装置に接続された制御部と、前記保守端末装置から送信された保守端末情報を記憶する記憶部と、複数の前記保守端末装置のうちの１つの通信希望保守端末装置から送信された保守端末情報が、前記記憶部に記憶された保守端末情報と一致するか否か判定する通信判定部とを有し、前記無線装置の前記制御部は、前記通信判定部で、前記通信希望保守端末装置から送信された保守端末情報が前記記憶部に記憶された保守端末情報と一致しないと判定されたときに、前記通信希望保守端末装置との通信を不可とすることを特徴としている。
【０００８】
また、本発明は、エレベーターを制御する制御装置と、前記エレベーターを監視する監視装置と、前記監視装置と接続された無線装置と、前記無線装置に無線接続された複数の保守端末装置とを備えるエレベーター保守システムであって、前記無線装置は、前記監視装置に接続された制御部と、前記保守端末装置から送信された保守端末情報を記憶する記憶部と、複数の前記保守端末装置のうちの１つの通信希望保守端末装置から送信された保守端末情報が、前記記憶部に記憶された保守端末情報と一致するか否か判定すると共に、前記通信希望保守端末装置から送信された保守端末情報がエレベーター操作に関係する特定コマンドを含むか否か判定する通信判定部とを有し、前記無線装置の前記制御部は、前記通信判定部で、前記通信希望保守端末装置から送信された保守端末情報が前記記憶部に記憶された保守端末情報と一致しないと判定され、かつ、前記特定コマンドを含むと判定されたときに、前記通信希望保守端末装置との通信を不可とすることを特徴としている。
【発明の効果】
【０００９】
本発明に係るエレベーター保守システムによれば、従来のように保守端末装置と無線装置の共通コードの発行及び管理を要することなく、無線装置使用時の保守作業に際しての保守員によるエレベーターの誤操作を防ぐことができる。前述した以外の課題、構成及び効果は、以下の実施形態の説明により明らかにされる。
【図面の簡単な説明】
【００１０】
【図１】本発明に係るエレベーター保守システムの一実施形態の基本構成を示すブロック図である。
【図２】本実施形態の詳細構成を示すブロック図である。
【図３】本実施形態の処理手順の一部を示すフローチャートである。
【図４】図３の処理手順に続く本実施形態の処理手順を示すフローチャートである。
【発明を実施するための形態】
【００１１】
以下、本発明に係るエレベーター保守システムの実施の形態を図面に基づいて説明する。
【００１２】
図１は、本発明に係るエレベーター保守システムの一実施形態の基本構成を示すブロック図である。
【００１３】
この図１に示すエレベーター１は、例えばビルの昇降路内に設けられており、図示しないが乗りかごと、釣り合い錘と、これらの乗りかごと釣り合い錘を接続する主ロープと、主ロープを移動させる巻上機とを備えている。このようなエレベーター１では、巻上機が制御装置２から送信された制御信号によって回転駆動することにより、主ロープが移動し、乗りかごが階床間を昇降する。
【００１４】
制御装置２は、エレベーター１に通信接続され、エレベーター１の乗りかごの昇降速度やドアの開閉動作を制御する。また、制御装置２は、監視装置３に通信接続され、エレベーター１に異常が発生したときに監視装置３へ通知する機能を備えている。
【００１５】
監視装置３は、制御装置２に通信接続され、制御装置２を介してエレベーター１の故障や不具合等の異常を監視する。また、監視装置３は、無線装置４と接続され、保守員７が携帯する保守端末装置５、あるいは保守員８が携帯する保守端末装置６からの要求に従って、エレベーター１に関する情報等を無線装置４を介して保守端末装置５あるいは保守端末装置６へ送信する。
【００１６】
前述のように無線装置４は、監視装置３に接続され、保守端末装置５あるいは保守端末装置６からの要求を監視装置３に送信する。また、監視装置３からの要求を保守端末装置５あるいは保守端末装置６に送信する。
【００１７】
保守端末装置５あるいは保守端末装置６は、無線装置４を介して、監視装置３と接続することでエレベーター１の運行情報や監視情報を取得し、保守員７あるいは保守員８に伝える。
【００１８】
図２は、本実施形態の詳細構成を示すブロック図である。
【００１９】
この図２に示すように、制御装置２は、乗りかごの昇降速度やドアの開閉動作を含むエレベーター１の全体の動作を制御するための各種の演算を行うＣＰＵ（Central  Processing Unit）等の制御部２０１、及び制御部２０１による演算を実行するためのプログラムを格納するＲＯＭ（Read Only Memory）やＨＤＤ（Hard Disk Drive）、制御部２０１がプログラムを実行する際の作業領域となるＲＡＭ（Random Access Memory）等の記憶部２０２を含むハードウェアと、記憶部２０２に記憶され、制御部２０１により実行されるソフトウェアとを含んで構成される。また、記憶部２０２は、エレベーター１の動作履歴、操作履歴、及び故障履歴等を記憶する。このような構成の制御装置２では、ハードウェアとソフトウェアとの協働によりエレベーター１を制御する。
【００２０】
監視装置３は、例えば制御装置２と同様に、エレベーター１の異常の有無を監視するための各種の演算を行うＣＰＵ等の制御部３０１、並びに制御部３０１による演算を実行するためのプログラムを格納するＲＯＭやＨＤＤ、及び制御部３０１がプログラムを実行する際の作業領域となるＲＡＭ等の記憶部３０２を含むハードウェアと、この記憶部３０２に記憶され、制御部３０１により実行されるソフトウェアとを含んでいる。このような構成の監視装置３では、ハードウェアとソフトウェアとの協働により、エレベーター１の動作を監視する。
【００２１】
なお、記憶部３０２は、監視情報記憶部３０２Ａ、認証保守員情報記憶部３０２Ｂ、復旧プログラムリスト記憶部３０２Ｃを備えている。
【００２２】
監視情報記憶部３０２Ａは、制御装置２から定期的に取得している動作履歴、操作履歴、及び故障履歴等を記憶する。さらに図１に示す通信回線１０を介して監視センタ１１へ通信するための通信情報を記憶する。認証保守員情報記憶部３０２Ｂは、監視センタ１１と接続可能な保守員情報が格納されている。また、復旧プログラムリスト記憶部３０２Ｃには、エレベーター１の機種に応じたエレベーター１の復旧にのみ使用する保守プログラムの名称と保守プログラムの起動条件が格納されている。
【００２３】
無線装置４は、監視装置３と通信するための各種の演算を行うＣＰＵ等の制御部４０１、及び制御部４０１による演算を実行するためのプログラムを格納するＲＯＭやＨＤＤ、制御部４０１がプログラムを実行する際の作業領域となるＲＡＭ等の記憶部４０２を含むハードウェアと、記憶部４０２に記憶され、制御部４０１により実行されるソフトウェアとを含んでいる。
【００２４】
記憶部４０２は、保守端末情報を記憶する保守端末情報記憶部４０２Ａ、及び操作記録を記憶する操作記録記憶部４０２Ｂを備えている。保守端末情報記憶部４０２Ａは、無線接続される保守端末装置５，６の固有情報、例えば製造番号を記憶する機能を備えている。操作記録記憶部４０２Ｂは、保守端末装置５，６から送信されたエレベーター１への操作コマンド、例えばエレベーター１の昇降や運転方法の切替え情報を操作履歴として記憶する機能を備えている。
【００２５】
通信判定部４０３は、制御部４０１、及び記憶部４０２と接続されており、制御部４０１により起動され、保守端末装置５，６から送信された保守端末情報が、保守端末情報記憶部４０２Ａに記憶された保守端末情報と一致するか否か判定すると共に、保守端末装置５，６のうちの１つの通信希望保守端末装置から送信された保守端末情報がエレベーター操作に関係する特定コマンド、例えばエレベーター停止操作、及びブレーキに関する操作を含むか否か判定する。
【００２６】
制御部４０１は、通信判定部４０３で、通信希望保守端末装置から送信された保守端末情報が保守端末情報記憶部４０２Ａに記憶された保守端末情報と一致しないと判定され、かつ、エレベーター停止操作、及びブレーキに関する操作を含むと判定されたときに、接続不可を該当する通信希望保守端末装置に送信する。
【００２７】
また、制御部４０１は、通信判定部４０３で、通信希望保守端末装置から送信された保守端末情報が保守端末情報記憶部４０２Ａに記憶された保守端末情報と一致したと判定されたとき、及び一致しないと判定され、かつ、エレベーター停止操作、及びブレーキに関する操作を含まないと判定されたときに、接続許可を該当する通信希望保守端末装置に送信する。
【００２８】
保守端末装置５，６のうちの保守端末装置５は、監視装置３と通信するための各種の演算を行うＣＰＵ等の制御部５０１、及び制御部５０１による演算を実行するためのプログラムを格納するＲＯＭやＨＤＤ、制御部５０１がプログラムを実行する際の作業領域となるＲＡＭ等の記憶部５０２を含むハードウェアと、保守プログラムのメニューを表示する表示部５０３と、記憶部５０２に記憶され、制御部５０１により実行されるソフトウェアとを含んでいる。記憶部５０２は、保守端末情報記憶部５０２Ａを備え、保守端末装置５の固有情報、例えば製造番号を記憶する。このような構成の保守端末装置５では、ハードウェアとソフトウェアとの協働により、保守端末装置５，６が実行する処理に必要な機能が実現される。別の保守端末装置６も保守端末装置５と同様の構成となっており、制御部６０１、保守端末情報記憶部６０２Ａを有する記憶部６０２、及び表示部６０３を備えている。
【００２９】
図３は本実施形態の処理手順の一部を示すフローチャート、図４は図３の処理手順に続く本実施形態の処理手順を示すフローチャートである。これらの図３，４に基づいて本実施形態における処理動作について説明する。
【００３０】
例えば図１に示す保守員７がエレベーター１が設置されている場所に行き、保守端末装置５を起動後、無線装置４に無線で接続する（ステップＳ１）。
【００３１】
無線装置４は、保守端末装置５が無線で接続されると、制御部４０１に他に通信している保守端末装置が有るか否か、すなわち保守端末装置６が無線で接続されているか否か確認する（ステップＴ１）。保守端末装置６が通信中のとき（Ｔ１／Ｙｅｓ）には、通信不可を保守端末装置５に送信する（ステップＴ２）。保守端末装置６が通信中でないとき（Ｔ１／Ｎｏ）には、次のデータを受信するまで待つ。
【００３２】
保守端末装置５は、保守端末情報記憶部５０２Ａの保守端末情報を無線装置４に送信する（ステップＳ２）。
【００３３】
無線装置４は、受信した保守端末情報記憶部５０２Ａの保守端末情報と、記憶部４０２に含まれる保守端末情報記憶部４０２Ａの保守端末情報とを比較する（ステップＴ３）。データが無いとき（Ｔ３／Ｎｏ）には、保守端末情報記憶部４０２Ａに保守端末情報を設定する（ステップＴ４）。なお、データが有るとき（Ｔ３／Ｙｅｓ）には、後述のステップＴ８に進む。
【００３４】
保守端末装置５は、エレベーター１への操作コマンドを無線装置４に送信する（ステップＳ３）。
【００３５】
無線装置４は、監視装置３に操作コマンドを送信し、操作コマンドの履歴を操作記録記憶部４０２Ｂに格納する（ステップＴ５）。
【００３６】
ここで、別の保守員８が操作する保守端末装置６（通信希望保守端末装置）が、無線装置４に無線接続されて通信を開始したものとする（ステップＵ１）。
【００３７】
無線装置４の制御部４０１は、通信中の保守端末装置が有るか否か確認する（ステップＴ６）。
【００３８】
今例えば保守端末装置５が通信中であるとすると（Ｔ６／Ｙｅｓ）、制御部４０１は通信不可を保守端末装置６に送信する（ステップＴ７）。
【００３９】
なお保守端末装置５との通信が終了し、通信中の保守端末装置が無くなったとき（Ｔ６／Ｎｏ）には、次のデータを受信するまで待つ。
【００４０】
保守端末装置６が保守端末情報記憶部６０２Ａに記憶された保守端末情報を送信する（ステップＵ２）。
【００４１】
前述したステップＴ３で保守端末情報のデータが有ると判定されたときには、通信判定部４０３は、ステップＵ２において保守端末装置６から送信された保守端末情報が、保守端末情報記憶部４０２Ａに記憶された保守端末情報と一致するか否か判定する（ステップＴ８）。
【００４２】
一致したとき（ステップＴ８／Ｙｅｓ）には、同一の保守員が操作していると判断し、制御部４０１は、継続して通信を許可する。不一致のとき（ステップＴ９／Ｎｏ）のときには、ステップＴ９に進む。
【００４３】
ステップＴ９で通信判定部４０３は、操作記録記憶部４０２Ｂに記録されている操作がエレベーター停止操作、及びブレーキに関する操作を含むか否か判定する（ステップＴ９）。
【００４４】
ステップＴ９で、エレベーター停止操作、及びブレーキに関する操作を含むと判定された（Ｔ９／Ｙｅｓ）とき、制御部４０１は、通信接続不可の旨の警告文、例えば「保守端末装置５にてエレベーターの停止操作がされているため通信を切断します。」を通信希望保守端末装置である保守端末装置６に送信し、続いて保守端末装置６に接続不可を送信する（ステップＴ１０）。警告文は、保守端末装置６の表示部６０３に表示される。
【００４５】
ステップＴ９で、エレベーター停止操作、及びブレーキに関する操作を含まないと判定された（Ｔ９／Ｎｏ）とき、制御部４０１は、新たな接続が構築される旨の注意文、例えば「保守端末装置５が接続されていましたが、保守端末装置６で新たに接続を開始してよろしいですか。」を保守端末装置６に送信し、続いて保守端末装置６に接続許可を送信する（ステップＴ１１）。注意文は、保守端末装置６の表示部６０３に表示される。
【００４６】
このように構成した本実施形態によれば、保守端末装置５，６と無線装置４の共通コードの発行及び管理を要することなく、保守端末装置５，６と無線装置４との誤接続を防止することができる。すなわち本実施形態は、保守端末装置５，６と無線装置４の共通コードの発行及び管理を要することなく、無線装置４の使用時の保守員７による保守作業に際しての保守員８によるエレベーター１の誤操作を防ぐことがで、保守作業時の保守員７に対する優れた安全性を確保できる。
【００４７】
なお、前述した実施形態にあっては、無線装置４の通信判定部４０３が、通信希望保守端末装置である保守端末装置６から送信された保守端末情報が記憶部４０２に記憶された保守端末情報と一致するか否か判定すると共に、保守端末装置６から送信された保守端末情報が、エレベーター操作に関係する特定コマンド、例えばエレベーター停止操作、及びブレーキに関する操作を含むか否か判定するものから成っているが、本発明は、通信判定部４０３をこのように構成することには限られない。通信判定部４０３が、通信希望保守端末装置である保守端末装置６から送信された保守端末情報が記憶部４０２に記憶された保守端末情報と一致するか否かのみ判定するものから成り、制御部４０１が、通信判定部４０３で、通信希望保守端末装置である保守端末装置６から送信された保守端末情報が記憶部４０２に記憶された保守端末情報と一致すると判定されたときに保守端末装置６との通信を許可し、一致しないと判定されたときに、保守端末装置６との通信を不可とする構成としてもよい。
【００４８】
また、前述した実施形態では、通信判定部４０３の判定対象である特定コマンドを、エレベーター停止操作、及びブレーキに関する操作であったが、特定コマンドは、エレベーター停止操作、及びブレーキに関する操作には限定されない。ドアの開閉操作等のように保守員７，８の作業時の安全性に関係するエレベーター操作であれば、特定コマンドとして設定し得る。
【００４９】
なお、各部の構成は図示の実施形態に限定されるものではなく、本発明の主旨を逸脱しない範囲で種々の変更が可能である。
【符号の説明】
【００５０】
１・・エレベーター、２・・制御装置、３・・監視装置、３０１・・制御部、４・・無線装置、４０１・・制御部、４０２・・記憶部、４０２Ａ・・保守端末情報記憶部、４０２Ｂ・・操作記録記憶部、４０３・・通信判別部、５・・保守端末装置、５０１・・制御部、５０２・・記憶部、５０２Ａ・・保守端末情報記憶部、５０３・・表示部、６・・保守端末装置、６０１・・制御部、６０２・・記憶部、６０２Ａ・・保守端末情報記憶部、６０３・・表示部、７，８・・保守員
【図１】
2018039588.tif 000003
【図２】
2018039588.tif 000004
【図３】
2018039588.tif 000005
【図４】
2018039588.tif 000006